(57)【要約】【課題】老朽化した既設の下水管の内壁に合成樹脂製の更生管をライニングする前の下水管を長さ方向に適宜に区切った区間の洗浄工程において、かかる洗浄区間の下水管に合流する枝管内適所を水密状に填塞すると共に、枝管からの下水を下水管の洗浄区間外部へ排水させる様にした排水路付き閉塞栓を提供する。【解決手段】上端に流入口2aを、下端に流出口2bを設けた剛性を有する排水導管２と、該排水導管２の周囲に空気の流出入で膨縮自在に設けた内装バッグ３と、該内装バッグ３の膨張規制と防護用にこれを被包する外装バッグ４と、該外装バッグ４外周に周着した厚み方向に弾性を有するスリーブ５と、排水導管２の流出口2bに連結した長尺な可撓管６とから構成する。【選択図】図８
2019148067.tif 000002
【特許請求の範囲】
【請求項１】
上端に流入口を、下端に流出口を設けた剛性を有する排水導管と、該排水導管の周囲に空気の流出入で膨縮自在に設けた内装バッグと、該内装バッグの膨張規制と防護用にこれを被包する外装バッグと、該外装バッグ外周に周着した厚み方向に弾性を有するスリーブと、前記排水導管の流出口に連結した長尺な可撓管とから成ることを特徴とする排水路付き閉塞栓。
【請求項２】
上記空気の流通用のエアホースを接続する内装バッグの一端部に対応した排水導管の一端開口部を流入口又は流出口と成したことを特徴とする請求項１記載の排水路付き閉塞栓。
【請求項３】
外装バッグは内装バッグに着脱自在に貼着したことを特徴とする請求項１又は２記載の排水路付き閉塞栓。
【請求項４】
スリーブは外装バッグに着脱自在に貼着したことを特徴とする請求項１、２又は３記載の排水路付き閉塞栓。
【請求項５】
下水管を長さ方向に適宜に区切った区間の洗浄工程において、かかる洗浄区間の下水管に合流する枝管からの下水を下水管の洗浄区間外部へ排出させる排水方法であって、請求項１、２、３又は４記載の排水路付き閉塞栓の内装バッグに空気を供給して該内装バッグをその外側の外装バッグとスリーブと共に膨張させることにより、前記排水路付き閉塞栓を枝管内適所に水密状に填塞すると共に、可撓管の末端口を下水管の洗浄区間外部へ配置したことを特徴とする下水管洗浄時の枝管排水方法。
【発明の詳細な説明】
【技術分野】
【０００１】
本発明は、老朽化した既設の下水管の内壁に合成樹脂製の更生管をライニングする前の下水管を長さ方向に適宜に区切った区間の洗浄工程において、かかる洗浄区間の下水管に合流する枝管からの下水を下水管の洗浄区間外部へ排出させるために使用される排水路付き閉塞栓と、これを用いた下水管洗浄時の排水方法に関する。
【背景技術】
【０００２】
一般に老朽化した既設の下水管の内壁に合成樹脂製の更生管をライニングする場合、その下水管のライニングする区間毎に事前に下水管内を洗浄している。
【０００３】
このため、上記下水管に接続されている枝管から排水が流入しない様に、下水管の洗浄期間は枝管の上流に接続された排水枡の排水口を閉塞する必要がある（例えば、特許文献１参照）。
【０００４】
すると、排水枡内には、排水が貯留されることとなるため、該排水を定期的にバキュームカーで吸引回収し、適切な処理施設まで運搬しなければならないといった手間を有していた（例えば、特許文献２参照）。
【先行技術文献】
【特許文献】
【０００５】
【特許文献１】特開平９−２８７１９４号公報
【特許文献２】特開平８−２９６２７１号公報
【発明の概要】
【発明が解決しようとする課題】
【０００６】
そこで、本発明では、下水管に合流する枝管内適所を水密状に填塞すると共に、枝管からの下水を下水管の洗浄区間外部へ排水させる様にした排水路付き閉塞栓と、これを用いた下水管洗浄時の排水方法を提供することを目的としている。
【課題を解決するための手段】
【０００７】
上記課題に鑑み、本発明の排水路付き閉塞栓は、上端に流入口を、下端に流出口を設けた剛性を有する排水導管と、該排水導管の周囲に空気の流出入で膨縮自在に設けた内装バッグと、該内装バッグの膨張規制と防護用にこれを被包する外装バッグと、該外装バッグ外周に周着した厚み方向に弾性を有するスリーブと、前記排水導管の流出口に連結した長尺な可撓管とから成ることを特徴とする。
又、上記空気の流通用のエアホースを接続する内装バッグの一端部に対応した排水導管の一端開口部を流入口又は流出口と成したことを特徴とする。
更に、外装バッグは内装バッグに着脱自在に貼着したり、スリーブは外装バッグに着脱自在に貼着したことを特徴とする。
そして、本発明に係る下水管洗浄時の枝管排水方法は、下水管を長さ方向に適宜に区切った区間の洗浄工程において、かかる洗浄区間の下水管に合流する枝管からの下水を下水管の洗浄区間外部へ排出させる方法であって、上記排水路付き閉塞栓の内装バッグに空気を供給して該内装バッグをその外側の外装バッグとスリーブと共に膨張させることにより、前記排水路付き閉塞栓を枝管内適所に水密状に填塞すると共に、可撓管の末端口を下水管の洗浄区間外部へ配置したことを特徴とする下水管洗浄時の枝管排水方法。
【発明の効果】
【０００８】
要するに本発明に係る排水路付き閉塞栓（以下、閉塞栓とも称する。）は、老朽化した既設の下水管の内壁に合成樹脂製の更生管をライニングする前の下水管を長さ方向に適宜に区切った区間の洗浄工程において使用されるものにして、上下端に流出入口を設けた剛性を有する排水導管の周囲に空気の流出入で膨縮自在な内装バッグを設け、該内装バッグを膨張規制と防護用の外装バッグで被包し、該外装バッグ外周に厚み方向に弾性を有するスリーブを周着し、前記排水導管の流出口に長尺な可撓管を連結し、該可撓管の末端口を下水管の洗浄区間外部へ配置したので、内装バッグに空気を供給して内装バッグをその外側の外装バッグとスリーブと共に膨張させることにより、外装バッグ外周に設けた厚み方向に弾性を有するスリーブは例え枝管内面が錆瘤等の付着・堆積物によって歪に変形していてもその内面形状に対応して変形し圧着されるため、枝管内適所を隙間無く水密状に填塞でき、これにより枝管上流と下水管とを水密状に遮断して枝管から下水管への下水の浸入を阻止できると共に、その下水を排水導管及び可撓管が連続する一連の排水路を通じてその末端口から下水管の洗浄区間外部へと、その洗浄期間中継続して排水できる。
よって、従来要していた排水枡に溜まった下水をバキュームカーで汲み取り処理施設へ運搬する手間やその費用を削減できる。
【０００９】
又、可撓管を排水導管に取付ける時に、上記空気の流通用のエアホースを接続する内装バッグの一端部に対応した排水導管の一端開口部を流入口又は流出口と成すことにより、１形態の排水路付き閉塞栓で排水導管の流出口に連結する可撓管とエアーホースの延出方向を同一方向又は逆方向に設定できる。
これにより、例えば閉塞栓を枝管下流の下水管との合流口を通じて枝管内適所に填塞する場合では、エアホースは可撓管と同一方向に延出し、下水管内適所に配置したエアーポンプに連結することや、閉塞栓を枝管上流の排水枡との連通口を通じて枝管内適所に填塞する場合では、エアホースは可撓管と逆方向に延出し、排水枡の地上に露出した開口部を経て屋外に配置したエアーポンプに連結するなど現場の状況に応じて適宜にエアーポンプと閉塞栓（内装バッグ）との連結状態を設定でき、便利である。
【００１０】
外装バッグは内装バッグに着脱自在に貼着したので、内装バッグと一体化でき、該内装バッグの膨縮にスリーブと共に追従できる。
特に、作業が完了した閉塞栓の回収後において、スリーブと共に外装バッグを取り外して新規な外装バッグを内装バッグに取り付ければ、閉塞栓の再使用が可能で経済的である。
【００１１】
スリーブは外装バッグに着脱自在に貼着したので、閉塞栓の回収後、外装バッグが再度の使用が可能な場合には、スリーブのみを取り外して新規なスリーブを外装バッグに取り付ければ、閉塞栓の再使用が可能でより経済的である等その実用的効果甚だ大である。
【図面の簡単な説明】
【００１２】
【図１】膨張状態の排水路付き閉塞栓の正面図である。
【図２】同上縦断面図である。
【図３】同上要部拡大図である。
【図４】排水路付き閉塞栓の変形例を示す正面図である。
【図５】排水路付き閉塞栓の他の変形例を示す縦断面図である。
【図６】同上要部拡大図である。
【図７】合流口に膨張前状態の排水路付き閉塞栓を挿入した状態を示す概略断面図である。
【図８】排水路付き閉塞栓で合流口を填塞した状態を示す概略断面図である。
【図９】図５の排水路付き閉塞栓で合流口を填塞した状態を示す概略断面図である。
【図１０】図４の排水路付き閉塞栓で連通口を填塞した状態を示す概略断面図である。
【発明を実施するための形態】
【００１３】
以下本発明の実施の一形態例を図面に基づいて説明する。
本発明に係る排水路付き閉塞栓１（以下、閉塞栓１と称する。）は、老朽化した既設の大型の下水管Ｄの内壁に合成樹脂製の更生管（図示せず）をライニングする前の下水管Ｄを長さ方向に適宜に区切った区間Ｌの洗浄工程において使用されるものであって、下水管Ｄに合流する枝管Ｂ内適所を水密状に填塞して枝管Ｂからの下水を下水管Ｄの洗浄区間Ｌの外部Ｍへ排出させる様にしたものである。
【００１４】
この閉塞栓１は、上端に流入口2aを、下端に流出口2bを設けた剛性を有する排水導管２と、該排水導管２の周囲に空気の流出入で膨縮自在に設けた内装バッグ３と、該内装バッグ３の膨張規制と防護用にこれを被包する外装バッグ４と、該外装バッグ４外周に周着した厚み方向に弾性を有する発泡ウレタンゴム等の合成ゴム製のスリーブ５と排水導管２の流出口2bに水密状に連結した長尺な可撓管６とから主に構成し、該可撓管６と排水導管２の連続する一連の流路を排水路1aと成している。
【００１５】
排水導管２は、枝管Ｂよりも小径な所定口径と所定長さを有すると共に、硬質塩化ビニルなどの剛性を有する比較的軽量な合成樹脂製管から成り、排水導管２の上端2a及び下端2bは、内装バッグ３及び外装バッグ４の上下端より上方及び下方へ若干突出させている。
【００１６】
内装バッグ３は、気密性及び柔軟性を有するゴム製シートを樽状に形成、具体的には、上下に排水導管２の上下方外周の夫々に弾性的に装着可能な筒口3aを設けた漏斗部3bと、各漏斗部3bの大径部に連続する長尺な円筒状の胴部3cとから成る。
【００１７】
そして、各筒口3a外周には所定径のナイロン糸７を捲回して緊締することにより排水導管２外周に気密性が保持された内装バッグ３が形成される。
尚、各筒口3aと排水導管２とは、上記に限らず、接着等その他の手段によって内装バッグ３の気密性を保持しても良い。
【００１８】
又、上記空気の流通用のエアホース８を接続する内装バッグ３の一端部（漏斗部3b）に対応した排水導管２の一端開口部を流入口2a（図４参照）又は流出口2b（図１、５参照）と成すことにより、１形態の閉塞栓１で排水導管２の流出口2bに連結する可撓管６とエアーホース8 の延出方向を同一方向又は逆方向に設定できる。
【００１９】
即ち、図１〜３に示す閉塞栓１では、内装バッグ３下方の漏斗部3bに管継手９の先端が突入する様に挿通され、該管継手９は、これの内装バッグ３内外側の夫々より螺着した一対のナット9aで内装バッグ３の内外面を気密状に挟持することにて内装バッグ３に固着され、該内装バッグ３より外方突出する管継手９の基端に可撓性を有する所定長さのエアホース８の一端を着脱可能に気密連結し、該エアホース８は、これを接続した下方の漏斗部3bに対応した排水導管２の下端開口部を流出口2bと成して該流出口2bに連結した可撓管６と同一方向に延出して成り、エアホース８の他端を図示しないエアーポンプに連結している。
【００２０】
又、図４に示す閉塞栓１の変形例では、内装バッグ３上方の漏斗部3bに管継手９の先端が突入する様に挿通され、該管継手９は、上記と同様に内装バッグ３に固着され、該内装バッグ３より外方突出する管継手９の基端にエアホース８の一端を着脱可能に気密連結し、該エアホース８は、これを接続した上方の漏斗部3bに対応した排水導管２の上端開口部を流入口2aと成すことにより、該流入口2aの反対側の流出口2bに連結した可撓管６と逆方向に延出して成り、エアホース８の他端を図示しないエアーポンプに連結している。
【００２１】
尚、図４に示す閉塞栓１は、内装バッグ３に対する管継手９及びエアホース８の取付位置以外は、図１〜３に示す閉塞栓１と同一構成のため、その縦断面図及びこれの要部拡大図を省略し、図１〜３に示す閉塞栓１と同一又は相当部分には同じ符号を付している。
【００２２】
外装バッグ４は、引張強さ及び摩擦係数が大きく、透水率が小さくて柔軟性を有するガラス繊維入り不織布などの布製から成り、内装バッグ３を被包する様に収容し、内装バッグ３より大きい樽状（その形状については上記と同様なため説明は省略する。）に形成され、その円筒状の胴部4cの上下に連続して設けた漏斗部4bにおける筒口4aの付け根に締結具10を外嵌し、該締結具10の圧着にて内装バッグ３の筒口3aの付け根を介して排水導管２に括り付けている。
【００２３】
これにより、外装バッグ４は、内装バッグ３の過度の膨張を規制し、その膨張時形状を維持すると共に、内装バッグ３の損傷、破裂などを誘引する突起物などから保護している。
尚、外装バッグ４における管継手９の対応部位には、ナット9aを挿通可能な透孔4dが穿設されている。
【００２４】
締結具10はステンレス製のホースバンドであり、長さ方向全域にわたって斜め横向きの係合溝11ａを所定ピッチで穿設したバンド11と、該バンド11の一端部上方に軸線がバンド11の長さ方向に合致する様に固定された筒状のハウジング12と、該ハウジング12とバンド11の一端部間に進退自在に挿通されたバンド11の他端側の係合溝11ａに噛合する様にハウジング12に転動自在に内蔵されたウォームギア（図示せず）と、該ウォームギヤの一端よりハウジング12外部に回転自在に突出してその突端面にネジ回しを差し込む十字穴を刻設した操作軸13とから成る。
【００２５】
そして、操作軸13の回動にてハウジング12内のウォームギアを転動させることにより、ウォームギアに噛合するバンド11（係合溝11ａ）を進退させて一周して成るバンド11の輪状の口径を拡縮径自在と成し、バンド11の輪状の縮径による上記圧着にて外装バッグ４を内装バッグ３を介して排水導管２に括り付け、バンド11の輪状の拡径による圧着解除にて排水導管２から離脱可能と成している。
尚、締結具10は、合成樹脂製の結束用バンド（図示せず）であっても良い。
【００２６】
又、外装バッグ４の内面と内装バッグ３外面とは、図示しない両面テープを介して着脱自在に貼着している。
これにより、外装バッグ４は内装バッグ３と一体化でき、該内装バッグ３の膨縮にスリーブ５と共に追従する様に成しており、外装バッグ４の取り外しに際しては、締結具10による圧着解除後、内装バッグ３から引き剥がすことで成し得る。
【００２７】
スリーブ５は外装バッグ４に図示しない両面テープを介して着脱自在に貼着している。
尚、スリーブ５は、枝管Ｂ内適所に配した閉塞栓１を膨張させた時に、枝管Ｂの内面形状が歪であっても対応して枝管Ｂを水密状に閉塞する様に外装バッグ４の胴部4c外面に貼着したものである。
【００２８】
可撓管６は、合成樹脂製の長尺な蛇腹ホースから成り、該蛇腹ホース６の先端口を流出口2bに外嵌すると共に、上記と同様に図示例のホースバンド又は結束バンドから成る締結具10にて外嵌圧着して排水導管２と可撓管６を水密状に連結して排水路1aを構成している。
【００２９】
又、可撓管６の末端口6aは、図示例の様に、排水導管２と同素材で同径にして短尺な合成樹脂管の先端口を外嵌すると共に、その外周を締結具10にて外嵌圧着することにより、前記合成樹脂管と一体的に連結して頑丈に構成しても良い。
【００３０】
次に、閉塞栓１の他の変形例について、図５、６に基づき説明する。
この閉塞栓１は、主にエアホース８の取付け位置を変更したものであり、その他については上記と基本構造を同様としているので、上記と同一又は相当部分には同じ符号を図面に付し、説明を省略する。
【００３１】
具体的には、内装バッグ３の内側を気密状に区画する排水導管２の管壁において、その下方に先端が内装バッグ３内部に突入する様に排水導管２内から気密状に挿嵌され、基端が排水導管２内面に沿って流出口2bに指向するＬ字状の管継手９が配置されており、該管継手９の基端にエアホース８の一端を着脱可能に気密連結し、該エアホース８の他端は、排水路1aを通じてその末端口6aより外方へ延出し、図示しないエアーポンプに連結される。
【００３２】
尚、図５、６に示す閉塞栓１は、エアホース８の内装バッグ３との接続側に対応する排水導管２の一端開口部を流出口2bと成すことにより、排水導管２の流出口2bに連結する可撓管６とエアーホース８の延出方向を同一方向に設定したものを示したが、このタイプの閉塞栓１についても、エアホース８の内装バッグ３との接続側に対応する排水導管２の一端開口部を流入口2aと成すことにより、排水導管２の流出口2bに連結する可撓管６とエアーホース８の延出方向を逆方向に設定できる（図示せず）。
【００３３】
上記の様に構成された閉塞栓１において、エアホース８と可撓管６が同一方向に延出したもの（図１、５参照）では、主に洗浄区間Ｌの下水管Ｄに合流する複数の枝管Ｂとの合流口Ｃの夫々に使用される（図10参照）が、これに限定されず枝管Ｂ内の適宜箇所にも適用できる。
【００３４】
この使用に際し、閉塞栓１はエアホース８を介して下水管Ｄ内適所に配置したエアポンプに接続されているが、内装バッグ３に空気が供給されていない膨張前状態であり、下水管Ｄ内から流入口2aを上にして合流口Ｃへ向かって突き上げ、閉塞栓１を合流口Ｃ内に挿入配置する（図７参照、この図示例では、図１の閉塞栓１を代表例として示す。）。
【００３５】
そして、エアポンプからエアホース８を通じて内装バッグ３に空気を供給してその外側の外装バッグ４とスリーブ５と共に膨張させる。
すると、外装バッグ４外周に設けた厚み方向に弾性を有するスリーブ５が、例え枝管Ｂ内面が錆瘤等の付着・堆積物によって歪に変形していてもその内面形状に対応して変形し圧着されるため、合流口Ｃを隙間無く水密状に填塞できる（図８、９参照）。
【００３６】
尚、可撓管６の末端口6aは、閉塞栓１による合流口Ｃの水密填塞の前後の何れかに下水管Ｄの洗浄区間Ｌの外部Ｍ、好ましくは洗浄区間Ｌの下流側の外部Ｍへ配置しておく。
【００３７】
又、エアホース８と可撓管６が逆方向に延出したもの（図４参照）では、主に洗浄区間Ｌの下水管Ｄに合流する複数の枝管Ｂ上流の排水枡Ｓとの連通口Ｕの夫々に使用される（図10参照）が、これに限定されず枝管Ｂ内の適宜箇所にも適用できる。
【００３８】
この使用に際し、閉塞栓１はエアホース８を介して排水枡Ｓ近傍の地上に配置したエアーポンプに接続され、内装バッグ３に空気が供給されていない膨張前状態であって、可撓管６の末端6aを排水枡Ｓの開口部Ｈから排水枡Ｓ内を経て該排水枡Ｓとの連通口Ｕへ差し込んで可撓管６を枝管Ｂ内下流へと繰り入れ、その末端6aを合流口Ｃ、下水管Ｄ内部を通して、最終的には下水管Ｄの洗浄区間Ｌの外部Ｍ、好ましくは洗浄区間Ｌの下流側の外部Ｍへ到達させ、かかる状態で内装バッグ３が膨出前状態の閉塞栓１を枝管Ｂ内適所（図示例では連通口Ｕ内部）に配置する。
【００３９】
次いで、地上のエアーポンプからエアホース８を通じて内装バッグ３に空気を供給してその外側の外装バッグ４とスリーブ５と共に膨張させることにより、外装バッグ４外周に設けた厚み方向に弾性を有するスリーブ５が、上記と同様に、枝管Ｂの内面形状に対応して変形し圧着されるため、連通口Ｕを隙間無く水密状に填塞できる（図10参照）。
【００４０】
上記の様に、各種の閉塞栓１（図１、４、５参照）による枝管Ｂ内適所（図示例では合流口Ｃ、連通口Ｕ）の水密填塞で枝管Ｂの上流側を下水管Ｄと水密状に隔絶し、枝管Ｂからの下水管Ｄへの下水の浸入を阻止すると共に、排水導管２と可撓管６が連続する一連の排水路1aによって枝管Ｂに下水管Ｄの洗浄区間Ｌの外部Ｍが連通して、該外部Ｍに配置した可撓管６の末端口6aより枝管Ｂからの下水を下水管Ｄの洗浄区間Ｌの外部Ｍへその洗浄期間中継続して排水できる。
【００４１】
そして、上記洗浄が完了した作業終了後において、閉塞栓１を回収するにあたっては、エアポンプによって内装バッグ３内の空気を吸引排気する。
【００４２】
この時、外装バッグ４は内装バッグ３に両面テープを介して一体的に貼着されているので、内装バッグ３の収縮にスリーブ５と共に追従できるから、内装バッグ３等を排水導管２を心棒として収縮させられ、枝管Ｂ内の填塞箇所（図示例では合流口Ｃ、連通口Ｕ）より閉塞栓１を簡単に離脱させることができる。
【００４３】
そして、閉塞栓１の回収後において、必要に応じ各所に用いられている締結具10を取り外す。
即ち、操作軸13をネジ回しを用いて回動することにより、ハウジング12内のウォームギアを転動させて、締結具10による各所に対する圧着を解除する。
【００４４】
これにより、先ず排水導管２から可撓管６を分離し、続いて両面テープと共に外装バッグ４を内装バッグ３から剥がし、新規な外装バッグ４を内装バッグ３に取り付ければ、閉塞栓１の再使用が可能である。
【００４５】
又、外装バッグ４の継続使用が可能で、スリーブ５を廃棄する場合には、該スリーブ５を両面テープと共に外装バッグ４から剥ぎ取り、新規なスリーブ５を外装バッグ４に取り付ければ良い。
【００４６】
上記の様に、閉塞栓１の分解された各パーツは点検され、継続使用可能か、又は交換が必要か確認され、再度組み付けられて再使用される。
【符号の説明】
【００４７】
１  排水路付き閉塞栓
２  排水導管
2a  流入口
2b  流出口
３  内装バッグ
４  外装バッグ
５  スリーブ
６  可撓管
6a  末端口
８  エアホース
Ｂ  枝管
Ｄ  下水管
Ｌ  （洗浄）区間
Ｍ  外部
【図１】
2019148067.tif 000003
【図２】
2019148067.tif 000004
【図３】
2019148067.tif 000005
【図４】
2019148067.tif 000006
【図５】
2019148067.tif 000007
【図６】
2019148067.tif 000008
【図７】
2019148067.tif 000009
【図８】
2019148067.tif 000010
【図９】
2019148067.tif 000011
【図１０】
2019148067.tif 000012